(57)【要約】【課題】この発明は電子秤の重力補正値の記憶を容易に行うことができるようにする。【解決手段】郵便番号の少なくとも上位２桁に対応した重力補正値を格納した重力補正値区分ファイルを設け、入力手段からの郵便番号の少なくとも上位２桁の入力により、前記重力補正値区分ファイル内に前記入力手段から入力された郵便番号に該当する郵便番号が存在する場合は、郵便番号と対応する重力補正値を重力補正値抽出手段により抽出し、前記抽出された重力補正値を重力補正値記憶手段に格納することで、重力補正値を容易に得ることができる電子秤。【選択図】　図１０
2004077310.tif 000002
【特許請求の範囲】
【請求項１】
秤ユニットから出力される物品の重量に応じた電気的信号を重力補正値記憶手段に記憶した重力補正値によって補正して重量として出力する電子秤において、
郵便番号の少なくとも上位２桁を入力する入力手段と、
郵便番号の少なくとも上位２桁に対応した重力補正値を格納した重力補正値区分ファイルと、
前記入力手段で入力された少なくとも上位２桁の郵便番号に対応した前記重力補正値を前記重力補正値区分ファイルから抽出する重力補正値抽出手段と、
この重力補正値抽出手段により抽出された重力補正値を前記重力補正値記憶手段に格納する格納手段とを備えたことを特徴とする電子秤。
【請求項２】
秤ユニットから出力される物品の重量に応じた電気的信号を重力補正値記憶手段に記憶した重力補正値によって補正して重量として出力する電子秤において、
郵便番号の少なくとも上位２桁を入力する入力手段と、
郵便番号の少なくとも上位２桁に対応した重力加速度を格納した重力加速度区分ファイルと、
前記入力手段で入力された少なくとも上位２桁の郵便番号に対応した前記重力加速度を前記重力加速度区分ファイルから抽出する重力加速度抽出手段と、
この重力加速度抽出手段により抽出された重力加速度に基づいて算出された重力補正値を前記重力補正値記憶手段に格納する格納手段とを備えたことを特徴とする電子秤。
【請求項３】
表示手段と、郵便番号の少なくとも上位２桁に対応する地区情報が格納された地区情報ファイルを更に備え、
前記重力加速度抽出手段は、前記入力手段により郵便番号の少なくとも上位２桁が入力されたときに、重力加速度区分ファイル内に対応する重力加速度が複数存在する場合は、入力された前記郵便番号に対応する全ての地区情報を前記地区情報ファイルから抽出して前記表示手段に表示するとともに、この表示された地区情報の１つが選択されることで入力された郵便番号が特定され、前記重力加速度区分ファイルから特定された郵便番号に対応する重力加速度を抽出する請求項２記載の電子秤。
【請求項４】
秤ユニットから出力される物品の重量に応じた電気的信号を重力補正値記憶手段に記憶した重力補正値によって補正して重量として出力する電子秤において、
郵便番号の少なくとも上位２桁を入力する入力手段と、
複数の地区に分けた地区値毎に郵便番号の少なくとも上位２桁と重力加速度を関連づけて格納した重力加速度区分ファイルと、
前記入力手段で入力された少なくとも上位２桁の郵便番号に対応した前記重力加速度を前記重力加速度区分ファイルから抽出する重力加速度抽出手段と、
この重力加速度抽出手段により抽出された重力加速度に基づいて算出された重力補正値を前記重力補正値記憶手段に格納する格納手段とを備えたことを特徴とする電子秤。
【請求項５】
表示手段と、地区値に対応する地区情報が格納された地区情報ファイルを更に備え、
前記重力加速度抽出手段は、前記入力手段により郵便番号の少なくとも上位２桁が入力されたときに、重力加速度区分ファイル内に対応する地区値が複数存在する場合は、入力された前記郵便番号に対応する全ての地区情報を前記地区情報ファイルから抽出して前記表示手段に表示するとともに、この表示された地区情報の１つが選択されることで前記重力加速度区分ファイルから重力加速度を抽出する請求項４記載の電子秤。
【発明の詳細な説明】
【０００１】
【発明の属する技術分野】
本発明は、物品の重量を計量し、その物品の単価から値段を算出して登録する電子秤に関する。
【０００２】
【従来の技術】
従来の物品の重量を測定するのに用いられる電子秤では、重力が変化すると測定値も変化する。重力は、地球上の場所によって微妙に異なる。その原因は、地球の自転による遠心力である。遠心力は、赤道直下で最大となり、極点で０となる。したがって、重力は、赤道直下で最も小さくなり、極へ向かうほど大きくなる。例えば同一の電子秤を使用して１ｋｇの分銅を測定すると北海道では１．００５ｋｇとなり、鹿児島県では０．９９５ｋｇとなってしまう。
【０００３】
このような場所によって異なる重力に影響された測定値のばらつきに対して、どの程度細かく地域を区切って測定値を補正（重力補正）することについては、日本では法律で定められている。
【０００４】
従来の電子秤では、上述のような場合、異なる重力に合わせて行う測定値の補正作業を、操作者の手作業によって行っている。すなわち、電子秤の載置台に所定の質量の分銅を載せて、測定値として表示される値を分銅の質量に合わせて修正する作業である。このような作業には、１台あたりで５分ほど費やす。また、電子秤の精度を良くするためには質量が正確な分銅を用いる必要があるが、そういった分銅は高価である。
【０００５】
このような補正作業が煩雑であることから、近年の電子秤は、製造場所で設定した基準データに前記重力補正による計数を乗算することで重力を算出している。図１１には、地区値一覧表１００が示されており、使用地域区分１０１として地区値が１〜１６区に分かれている。この使用地域区分１０１の１〜１６区の地区値に基づき日本全国を使用地区値に属する地域区分１０２と、一般的に重力と称されている重力加速度の大きさが記憶された重力加速度区分１０３がそれぞれ分割されている（この重力加速度は、地区値１区が９．８０６［ｍ／ｓ２　］であり、１６区の９．７９１［ｍ／ｓ２　］まで０．００１［ｍ／ｓ２　］ずつ減少している）。操作者は、測定される場所によって異なる重力加速度を得るために、前記地区値一覧表１００を基に、電子秤から前記地区値一覧表１００の使用地区に属する地域区分１０２で該当する地区を見つけての使用地域区分１０１の地区値（１〜１６）を置数入力する。
【０００６】
【発明が解決しようとする課題】
しかし、機械の故障等で秤データの更新が必要になった場合、地区値一覧表１００が無いと地区値番号である１〜１６までの数字が判らず機械の修理ができない不具合を生じていた。
【０００７】
本発明はこのような事情に基づいてなされたもので、その目的とするところは重力加速度を郵便番号と対応させることで、地区値一覧表がなくても郵便番号を入力することにより重力補正値の制御部内部への記憶処理が正確に行える電子秤を提供しようとするものである。
【０００８】
【課題を解決するための手段】
本発明は、秤ユニットから出力される物品の重量に応じた電気的信号を重力補正値記憶手段に記憶した重力補正値によって補正して重量として出力する電子秤において、郵便番号の少なくとも上位２桁を入力する入力手段と、郵便番号の少なくとも上位２桁に対応した重力補正値を格納した重力補正値区分ファイルと、前記入力手段で入力された少なくとも上位２桁の郵便番号に対応した前記重力補正値を前記重力補正値区分ファイルから抽出する重力補正値抽出手段と、この重力補正値抽出手段により抽出された重力補正値を前記重力補正値記憶手段に格納する格納手段とを備えたことを特徴とする。
【０００９】
このような手段を備えた電子秤によれば、使用地域の郵便番号を入力することで対応する使用地域の重力補正値を容易に得ることができる。
【００１０】
【発明の実施の形態】
次に、本発明の電子秤の実施の形態を図１ないし図１０に基づいて説明する。
【００１１】
図１は、本実施の形態の電子秤１の外観を示す斜視図である。電子秤１は、本体ケース２の上面に重量を測定する物品が載置される台３を備え、本体ケース２の正面には、表示手段としての表示器４を備えており、この表示器４にはタッチパネル方式の入力部５（図５参照）を備えている。また６は、電子料金秤１内部のプリンタ７（図２参照）によって印字されたレシートやラベルを排出する排出口である。前記本体ケース２内には、その外観は図示しない秤ユニット８（図２参照）が収納されている。前記台３に載置された対象物の重量は、秤ユニット８に荷重としてかかる。
【００１２】
図２は電子秤１が備える各部の電気的接続を示すブロック図である。まず、電子秤１は、各種の演算処理を実行し各部を集中的に制御するＣＰＵ９を備えており、ＣＰＵ９には、ＲＯＭ１０及びＲＡＭ１１がシステムバス１２を介して接続されている。
【００１３】
前記ＲＯＭ１０は、電子秤１の動作プログラムを格納した媒体であり、この動作プログラムに従ってＣＰＵ９が各部を制御する。前記ＲＡＭ１１には各種データを一時記憶する重力補正値抽出手段（重力加速度抽出手段）としてのメモリエリア１３を有しており、図示しないバッテリでバックアップされている。
【００１４】
また、ＣＰＵ９には、物品の重量に応じた電気的信号を出力する秤ユニット８を形成するＡ／Ｄ変換器１４及び増幅器１５を介して接続されている。増幅器１５は、前記秤ユニット８の起歪部（図示せず）に貼り付けられたひずみゲージ（図示せず）に起る変化を増幅し、Ａ／Ｄ変換器１４は、増幅器１５から受け取るアナログ信号をデジタル信号に変換してＣＰＵ９へ伝達する。前記プリンタ７は、秤ユニット８により計量された結果等をラベルやレシートに印字するものである。そして、ＣＰＵ９には、本体ケース２に配置されている表示器４のデータ表示や入力部５からの入力情報を制御する表示コントローラ１６、上位機器（図示省略）とのデータ通信を制御する通信インターフェース１７（Ｉ／Ｆ）がシステムバス１２を介して接続されている。
【００１５】
図３は、前記電子秤１のＲＡＭ１１に形成される主要なメモリを示す概念図である。前記ＲＡＭ１１は同図において、１６分割された重力加速度を郵便番号に基づいて地域毎に区分された重力加速度区分ファイル１８（重力補正値区分ファイル・図４参照）、電子秤１内に前記重力加速度を基に算出した重力補正値を記憶する重力補正値記憶手段としての重力補正値記憶部１９、後述する地区情報ファイル２０（図５参照）を有している。
【００１６】
図４は、前記重力加速度区分ファイル１８のメモリ内容を示すものであり、地区値エリア（地区値：１区〜１６区）１８ａ毎に使用地区の郵便番号を記憶した使用地区郵便番号エリア１８ｂと関連づけた重力加速度を格納した重力加速度エリア１８ｃが記憶されている。なお、重力加速度区分ファイル１８内で図示していない６区（郵便番号９８：宮城県および郵便番号９９：山形県）、１２区（郵便番号８６：熊本県および郵便番号８８：宮崎県）および１６区（郵便番号９０：沖縄県）については使用地区郵便番号エリア１８ｂ内に郵便番号の上位２桁のみが記憶されている。
【００１７】
また、図５は、１６分割された地区値をタッチパネル上より表示選択可能な地区選択キー４ｅ（図８参照）と対応する地区情報４ｆを記憶した地区情報ファイル２０である。なお、前記地区選択キー４ｅと地区情報４ｆが地区情報選択手段に相当する。
【００１８】
図６乃至図９は電子秤１の表示器４の表示画面図であり、表示面右側には地区値の入力を指示する重力補正値入力キー５ａと、郵便番号の入力を宣言する郵便番号入力キー５ｂ、表示された地区値に対応する重力加速度を基づいて算出された重力補正値を重力補正値記憶部１９への格納を指示する格納手段としての重力補正値確認キー５ｃ、プリンタ７を駆動させ前記排出口６からラベルやレシートの発行を指示する発行キー５ｄ、および数値を入力する置数キー５ｅなどの入力部５がタッチパネル状に形成されている。また、前記重力補正値入力キー５ａを押下すると図６に示す地区値入力表示部４ａとともに、表示された内容を確定し次の処理を行うことを宣言する確定キー４ｂが表示され、前記郵便番号入力キー５ｂを押下すると図７に示す郵便番号入力表示部４ｃが表示されるように形成されている。さらに、図８に示す表示器４の地区情報表示部４ｄには、該当地区が複数あった際に入力可能となるように表示される地区選択キー４ｅとその地区値と対応した地区情報４ｆが表示されている。
【００１９】
次に図１０のフローチャートで示されるＲＯＭ１０に格納されたプログラムに従って実行される処理の流れを説明する。
【００２０】
電子秤１において、重力補正値の入力を必要とする場合は、重力補正値の入力宣言がされる。この重力補正値入力宣言としては、図６に示す、重力補正値入力キー５ａまたは郵便番号入力キー５ｂの入力により開始される。操作者はタッチパネル状の表示器４により入力処理を行う。
【００２１】
まず、ステップ（以下ＳＴと称する）１で、郵便番号入力キー５ｂが入力されたか否かが判断され、郵便番号入力キー５ｂが入力されると表示器４上に図７に示す郵便番号入力表示部４ｃが表示される。操作者が、電子秤１を設置する地区の地区値番号（１〜１６）を知っていた場合は、重力補正値入力キー５ａが入力され（ＳＴ１のＮＯ）、図６に示す地区値入力表示部４ａが表示される。その後、ＳＴ２へ移行し電子秤１がある場所の地区の地区値番号を置数キー５ｅより入力し、ＳＴ３にて図９に示す地区情報４ｆが表示器４の地区情報表示部４ｄに表示されることとなる。この時、ＲＡＭ１１内の重力加速度区分ファイル１８からメモリエリア１３に重力加速度が移行され一時記憶される。
【００２２】
前記ＳＴ１にて、郵便番号入力キー５ｂが押下されると図７に示す郵便番号入力表示部４ｃが表示され、ＳＴ４において、置数キー５ｅにより電子秤１を設置する地区の郵便番号を入力する。この郵便番号は少なくとも上位２桁を入力しなければならない。例えば、郵便番号を７桁入力した場合、入力した郵便番号が前記重力加速度区分ファイル１８内の使用地区郵便番号メモリ１８ｂ内に存在するか否かが検索され（ＳＴ６）、存在しない場合はエラー表示をする。該当地区の地区値（１区から１６区）のいずれかが存在すると、ＳＴ７により該当地区の地区情報４ｆが表示される。
【００２３】
前記ＳＴ６では、郵便番号を２桁から６桁までを入力後に、確定キー４ｂを押下することで、ＲＡＭ１１内では入力された上位２桁の郵便番号と重力加速度区分ファイル１８内の使用地区郵便番号エリア１８ｂの上位２桁のみの比較が行われる。ＳＴ７において、該当する地区値が複数存在する場合は、ＳＴ８へ移行し、図５に示す地区情報ファイル２０から地区値と対応する地区情報４ｆ及び対応する重力加速度を、一旦メモリエリア１３に記憶し、図８に示すように該当する全ての地区値を地区情報表示部４ｄに表示する。
【００２４】
その後、ＳＴ９にて操作者は地区情報表示部４ｄに複数表示されている地区選択キー４ｅ（この場合１３区と１５区）のいずれかを選択することで、選択された地区値と地区情報４ｆがＳＴ３にて表示される（図９）。なお、ＳＴ７のＮＯの場合としては、郵便番号を７桁入力した場合と、使用地区郵便番号エリア１８ｂに上位２桁のみしか記憶していない６区、１２区および１６区に該当する場合であり、この場合は前記ＳＴ８からＳＴ９までの処理を行わずに、該当する地区情報４ｆが表示される。
【００２５】
ＳＴ３にて表示された地区情報４ｆが正しいと操作者が判断すると、ＳＴ１０にて表示器４の重力補正値確認キー５ｃの押下により、地区値より抽出された重力加速度を計算して、メモリエリア１３からＲＡＭ１１内の重力補正値記憶部１９へ重力補正値が記憶される。
【００２６】
このような構成において、操作者は、例えば、鹿児島県鹿児島市呉服町に電子秤１を設置する場合に、その地区の重力補正値を設定しなければならない。このとき、操作者は、設置する地区の地区値（１３区）を知っている場合は、図６において、重力補正値入力キー５ａを操作すると地区値入力表示部４ａが表示される。操作者は置数キー５ｅにより鹿児島県鹿児島市の地区値番号「１３」を入力し確定キー４ｂを押下することで、図９に表示された地区情報４ｆが表示され、表示された情報が正しいと操作者が判断した場合に重力補正値確認キー５ｃを押下することで、鹿児島市の重力加速度である９．７９４（ｍ／ｓ２）を基に計算した重力補正値がＲＡＭ１１内の重力補正値記憶部１９へ記憶される。
【００２７】
また、前述のように重力補正値の設定処理として、前記操作者が鹿児島県鹿児島市呉服町の郵便番号７桁（８９２―０８２６）を知っている場合は、郵便番号入力キー５ｂを押下することで、図７に示す郵便番号入力表示部４ｃが表示され、置数キー５ｅを用いて郵便番号：８９２−０８２６を入力後に確定キー４ｂを押下する。すると、重力加速度区分ファイル１８内の使用地区郵便番号メモリ１８ｂから該当する郵便番号を検索し前記入力された郵便番号が存在すると、図９に示すように地区情報４ｆが表示され、その後は前述の処理を行うことで重力補正値が重力補正値記憶部１９へ記憶される。
【００２８】
さらに、重力補正値の設定処理として、前記操作者が鹿児島県鹿児島市呉服町の郵便番号７桁全てを知らない場合は、少なくとも上位２桁を入力することで重力補正値を得ることができる処理を説明する。図７に示すように、操作者は郵便番号の上位２桁（鹿児島県は８９）を入力し、確定キー４ｂを押下する。すると、前記重力加速度区分ファイル１８内の使用地区郵便番号メモリ１８ｂから該当する郵便番号上位２桁が存在するか検索し、複数の地区（この場合１３区と１５区）が存在した場合、図８に示すように表示器４に地区情報ファイル２０からの地区情報４ｆを表示する。操作者は１３区と１５区の前記地区情報４ｆから該当する地区値の地区選択キー４ｄを押下することで、図９に示す地区情報４ｆ（１３区：鹿児島県（名瀬市、大島郡を除く））による重力補正値を得ることができる。
【００２９】
このように、少なくとも２桁の郵便番号を入力することで容易に重力補正値を得ることができ、補正値の更新処理を迅速に行うことができる。
【００３０】
なお、本実施の形態では、重力加速度の抽出方法として、複数の地区に分けた地区値毎に郵便番号と重力加速度を格納した重力加速度区分ファイルを形成しているが、地区値を用いずに郵便番号と対応した重力加速度を格納した重力加速度区分ファイルを形成することで、同様の重力加速度を抽出することが可能であることは言うまでもない。また、重力加速度区分ファイルから重力加速度を抽出して、この抽出された重力加速度に基づいて算出された重力補正値を重力補正値記憶手段に格納する構成としたが、重力加速度ではなく郵便番号と対応した重力補正値を格納した重力補正値区分ファイルを設けることにより、郵便番号の入力により重力補正値区分ファイルから重力補正値を抽出して重力補正値記憶手段に格納する構成であってもよい。
【００３１】
さらに、入力手段としてタッチパネルを用いたが、専用のキーを設けた構成としてもよく、タッチパネル上の表示方法としてポップアップ表示を用いて入力可能にする構成としてもよい。また、地区情報ファイルは地区値と対応する地区情報を形成しているが郵便番号と対応させてもよく、図４の重力加速度区分ファイル１８及び図５の地区情報ファイル２０の２つを設けたが１つのファイルで行うことで同様の処理をすることができることは言うまでもない。
【００３２】
【発明の効果】
以上説明したように、電子秤の重力補正値の入力処理を、使用地域の郵便番号を入力することで対応する使用地域の重力補正値を容易に得ることができるという効果を有するものである。
【図面の簡単な説明】
【図１】本発明の電子秤の斜視図。
【図２】上記電子秤のブロック図。
【図３】上記電子秤のメモリのうちのＲＡＭ内の構成を示す図。
【図４】上記電子秤のメモリのうち重力加速度区分ファイルの構成を示す図。
【図５】上記電子秤のメモリのうち地区情報ファイルの構成を示す図。
【図６】上記電子秤の表示器の重力補正値入力キーが押下された時の表示画面を示す図。
【図７】上記電子秤の表示器の郵便番号入力キーが押下された時の表示画面を示す図。
【図８】上記電子秤の表示器で地区値が複数存在した場合の表示画面を示す図。
【図９】上記電子秤の表示器で地区情報の表示画面を示す図。
【図１０】上記電子秤の動作を示すフローチャート。
【図１１】地区値一覧表を示す図。
【符号の説明】
１　　電子秤
４　　　　　表示器（表示手段）
４ｅ　　　　地区選択キー（地区情報選択手段）
４ｆ　　　　地区情報
５　　　　　入力部（入力手段）
５ｃ　　　　重力補正値確認キー（格納手段）
８　　　　　秤ユニット
１０　　　　　ＲＯＭ
１１　　　　　ＲＡＭ（重力補正値記憶部）
１３　　　　　メモリエリア（重力補正値抽出手段、重力加速度抽出手段）
１８　　　　　重力加速度区分ファイル（重力補正値区分ファイル）
１９　　　　　重力補正値記憶部（重力補正値記憶手段）
２０　　　　　地区情報ファイル
【図１】
2004077310.tif 000003
【図２】
2004077310.tif 000004
【図３】
2004077310.tif 000005
【図４】
2004077310.tif 000006
【図５】
2004077310.tif 000007
【図６】
2004077310.tif 000008
【図７】
2004077310.tif 000009
【図８】
2004077310.tif 000010
【図９】
2004077310.tif 000011
【図１０】
2004077310.tif 000012
【図１１】
2004077310.tif 000013